(57)【要約】【課題】既存の風向調整板に取付けるだけで良好に空気調和機からの吹出し風を室内全体に拡散させることが可能で、しかも、結露の発生を防ぐことが可能な吹出し風の拡散用補助具を提供すること。【解決手段】空気調和機の吹出口から吹出す風の向きを調整するために、前記吹出口と対向する位置に配置された風向調整板２００に対して取付けられる吹出し風の拡散用補助具１であって、前記風向調整板２００の上面に空気調和機の吹出口と対向する状態で被着される風受体２と、前記風受体２の上面に長さ方向に沿って所定間隔で立設した複数のフィン３とを備えてなる。風受体２及び複数のフィン３は、薄板状の発泡樹脂を成形加工することにより一体的に形成されている。【選択図】図１
0003205345.tif 000002
【実用新案登録請求の範囲】
【請求項１】
空気調和機の吹出口から吹出す風の向きを調整するために、前記吹出口と対向する位置に配置された風向調整板に対して取付けられる吹出し風の拡散用補助具であって、前記風向調整板の上面に空気調和機の吹出口と対向する状態で被着される風受体と、前記風受体の上面に長さ方向に沿って所定間隔で立設した複数のフィンとを備えてなることを特徴とする空気調和機における吹出し風の拡散用補助具。
【請求項２】
前記風受体は、幅方向における後端部に立ち上がり部を設けて、後端部が前端部よりも高くなるように形成されていることを特徴とする請求項１に記載の空気調和機における吹出し風の拡散用補助具。
【請求項３】
前記複数のフィンは、所定間隔で交互に立設された大小のフィンからなることを特徴とする請求項１または２に記載の空気調和機における吹出し風の拡散用補助具。
【請求項４】
前記複数のフィンは、平面視形状が円弧状であることを特徴とする請求項１ないし３のいずれかに記載の空気調和機における吹出し風の拡散用補助具。
【請求項５】
前記風受体及び複数のフィンが、薄板状の発泡樹脂を成形加工することにより一体的に形成されていることを特徴とする請求項１ないし４のいずれかに記載の空気調和機における吹出し風の拡散用補助具。
【考案の詳細な説明】
【技術分野】
【０００１】
本考案は、空気調和機の吹出口と対向する状態で配置される風向調整板に取付けられて、前記吹出口から吹出す風を室内全体に拡散させるための補助具に関する。
【背景技術】
【０００２】
オフィスや店舗等においては、見栄えや取付スペース等の面から天井埋込カセット型の空気調和機が使用されることが多い。天井埋込カセット型の空気調和機は、天井に形成された開口に挿入・設置される室内機本体と、前記室内機本体の下面に天井と略面一となるように取付けられた矩形状のパネルとを備え、前記パネルの中央部に設けた吸込口から吸い込んだ空気を室内機本体において所定温度に調整し、冷風あるいは温風（以下、冷風等という）としてパネルの各辺に沿って形成された４箇所の細長な吹出口から吹出して室内を冷暖房するように構成されている。
然るに、前記冷風等は、パネルに形成した４箇所の吹出口から下向き若しくは斜め下向きに吹出すので、吹出し方向以外へは冷風等が行き渡り難く、室内全体が均等に冷暖房され難いという問題がある。一方、冷風等の吹出し方向に居る人には長時間にわたって直接冷風等が当たることになり、特に冷房中にあっては長時間冷風に当たり続けて体調を崩す等の健康被害を受けるという問題がある。
【０００３】
上記の問題を解決するために、例えば、空気調和機の吹出口付近に傾斜角度を変更可能とした風向調整板を配設し、この風向調整板に吹出口からの吹出し風を当てることにより、吹出し風の流通方向を変更するようにした技術が開示されている（例えば、特許文献１，２参照）。
即ち、特許文献１に記載されている風向調整板は、長さ方向における中間位置の２箇所が、天井面もしくは空気調和機の外面に取着された一対の取付具の下端部に対して回動自在に取着されており、前記風向調整板の角度を任意に変更することにより吹出し風の流通方向を変更するようにしている。
また、特許文献２に記載されている風向調整板は、長さ方向における両端部が、空気調和機の吹出口の縁部近傍に固定された一対の支持アームの先端部に対して回動自在に軸架されており、前記風向調整板の角度を任意に変更することにより吹出し風の流通方向を変更するようにしている。
【先行技術文献】
【特許文献】
【０００４】
【特許文献１】特開２００４−６９２７７号公報
【特許文献２】特開２００４−１３８３６３号公報
【考案の概要】
【考案が解決しようとする課題】
【０００５】
以上のように、特許文献１，２に記載されている技術によれば、冷房時に冷風の吹出し方向に居る人に、冷風が直接当たるという問題を解決することが可能となる。
然るに、風向調整板に当たった吹出し風は、前記風向調整板に沿って吹出口の延長線上の方向に流通するものの、それ以外の方向へは流通し難いため、吹出し風が室内全体に均等に行き渡らないという問題が依然として残っている。
また、特許文献１，２に記載の風向調整板は、吹出口からの冷風が上面（表面）当たることで下面（裏面）に結露が発生しやすく、結露によって生じた水滴が風向調整板の下方に落下するという問題があった。
【０００６】
本考案は前記種々の問題点に鑑み、既存の風向調整板に取付けるだけで良好に空気調和機からの吹出し風を室内全体に拡散させることを可能とするとともに、結露の発生を防ぐことが可能な吹出し風の拡散用補助具の提供を目的とする。
【課題を解決するための手段】
【０００７】
前記の課題を解決するために、本考案に係る吹出し風の拡散用補助具は、空気調和機の吹出口から吹出す風の向きを調整するために、前記吹出口と対向する位置に配置された風向調整板の上面に被着される風受体と、前記風受体の上面に長さ方向に沿って所定間隔で立設した複数のフィンとを備えてなる。
また、前記風受体は、幅方向における後端部に立ち上がり部を設けて、後端部が前端部よりも高くなるように形成するとよい。
更に、前記複数のフィンは、所定間隔で交互に立設された大小のフィンとするとよい。
また、前記複数のフィンは、平面視形状を円弧状とするとよい。
更に、前記風受体及び複数のフィンは、薄板状の発泡樹脂を成形加工することにより一体的に形成するとよい。
【考案の効果】
【０００８】
本考案に係る吹出し風の拡散用補助具によれば、空気調和機の吹出口から吹出す風は、風向調整板の上面に前記吹出口と対向する状態で被着した風受体、及び当該風受体に立設した複数のフィンに沿って、吹出口から遠ざかる方向へ向かう渦巻状の旋回流を形成し、室内全体に拡散されるので、温度ムラの発生を解消することができるとともに、吹出し風が利用者の体に直接当たることがないので、特に冷房時に長時間冷風が当たることにより体調を崩す等といった健康被害の発生を良好に防ぐことができる。
【０００９】
また、風受体の幅方向における後端部に立ち上がり部を設けて、後端部が前端部よりも高くなるように形成すれば、例えば、天井埋込カセット型の空気調和機の近傍に配置される風向調整板に拡散用補助具を取付けた場合、空気調和機の吹出口からの吹出し風は、風受体後端の立ち上がり部によって空気調和機の吸込口側へ逆流するのを阻止され、前端側（空気調和機から遠ざかる方向）へ良好に流通させることができる。この結果、吹出し風が吸込口側へ逆流することによる空気調和機の誤作動を良好に防ぐことができるとともに、吹出し風を空気調和機から離れた位置まで良好に拡散させることができる。
【００１０】
更に、所定間隔で大小のフィンを交互に立設するようにすれば、例えば、風向調整板の取付具の位置に応じてフィンの間隔を広くしなければならない場合でも、空気調和機の吹出口からの吹出し風は大小いずれかのフィンと接触して流通するため、良好に旋回流を形成して室内全体に拡散させることができる。
【００１１】
しかも、複数のフィンは、平面視形状を円弧状に形成すれば、空気調和機の吹出口からの吹出し風はフィンと接触することにより、良好に旋回流を形成して室内全体に拡散させることができる。
【００１２】
その上、風受体及び複数のフィンを、薄板状の発泡樹脂を成形加工することにより一体的に形成するようにすれば、非常に軽量であるため、既存の風向調整板に拡散用補助具を後付しても、必要以上に風向調整板に重量が加わることがない。しかも、拡散用補助具を取付けることによって、風向調整板には冷風等の吹出し風が直接接触せず、かつ、拡散用補助具は断熱性を有するので、風向調整板に結露が生じるのを良好に防ぐことができる。
【図面の簡単な説明】
【００１３】
【図１】本考案の実施例１に係る吹出し風の拡散用補助具を風向調整板に取付けた状態を示す斜視図である。
【図２】（ａ）は本考案に実施例１に係る拡散用補助具を示す平面図、同図（ｂ）は実施例１に係る拡散用補助具を示す縦断側面図、同図（ｃ）は同図（ａ）のＡ−Ａ線における実施例１に係る拡散用補助具の断面図である。
【図３】空気調和機からの吹出し風の流れを概略的に示す説明図である。
【図４】本考案の実施例１に係る拡散用補助具による空気調和機からの吹出し風の拡散状態を概略的に示す説明図である。
【図５】本考案の実施例２に係る吹出し風の拡散用補助具を風向調整板に取付けた状態を示す斜視図である。
【図６】（ａ）は本考案の実施例２に係る拡散用補助具を示す平面図、同図（ｂ）は実施例２に係る拡散用補助具を示す縦断側面図、同図（ｃ）は同図（ａ）のＢ−Ｂ線における実施例２に係る拡散用補助具の断面図である。
【図７】空気調和機からの吹出し風の流れを概略的に示す説明図である。
【図８】本考案の実施例２に係る拡散用補助具による空気調和機からの吹出し風の拡散状態を概略的に示す説明図である。
【図９】本考案の他の実施形態を示す斜視図である。
【図１０】（ａ）〜（ｆ）は本考案の実施例１及び２に係る拡散用補助具に設けられるフィンの他の実施形態を示す要部平面図である。
【考案を実施するための形態】
【００１４】
以下、本考案を実施するための形態について、図１ないし図１０を参照しながら具体的に説明する。
【実施例１】
【００１５】
まず、本考案の実施例１について、図１ないし図４を参照しながら説明する。図１は本考案の実施例１に係る吹出し風の拡散用補助具を風向調整板に取付けた状態を示す斜視図である。図２（ａ）は本考案の実施例１に係る拡散用補助具を示す平面図、同図（ｂ）は実施例１に係る拡散用補助具を示す縦断側面図、同図（ｃ）は同図（ａ）のＡ−Ａ線における実施例１に係る拡散用補助具の断面図である。図３は空気調和機からの吹出し風の流れを概略的に示す説明図である。図４は本考案の実施例１に係る拡散用補助具による空気調和機からの吹出し風の拡散状態を概略的に示す説明図である。
【００１６】
図１に本考案の実施例１に係る吹出し風の拡散用補助具を風向調整板に取付けた状態を示す。また、図２に本考案の実施例１に係る吹出し風の拡散用補助具を示す。
本考案の実施例１に係る拡散用補助具１は、例えば、特許文献２に記載されているような風向調整板、即ち、図１に示すように、長さ方向における両端部を一対の支持アーム２０１，２０１によって軸架する形態の風向調整板２００へ取付けるのに好適である。
図１，２に示すように、拡散用補助具１は、風向調整板２００の上面に被着される風受体２と、前記風受体２の上面に所定間隔で立設した複数のフィン３とを備えている。
【００１７】
風受体２は、図１及び図２（ａ）に示すように、平面視形状が風向調整板２００と略同じ大きさの横長な矩形状となっている。図１及び図２（ｂ）に示すように、風受体２の幅方向における後端部には立ち上がり部２ａを設けて、前記後端部が前端部よりも高くなるように形成されている。風受体２の側面視形状は、前記立ち上がり部２ａを設けた後端部から前端部へ向かうに従って緩やかに弧を描きながら高さが低くなる滑り台の如き形状となっている。なお、風受体２の立ち上がり部２ａ及び後端側は中空状となっている。
【００１８】
フィン３は、図２（ａ）に示すように、例えば、風受体２の長さ方向に沿って所定間隔で５箇所に設けられており、平面視形状は、風受体２の立ち上がり部２ａと連接する基端部よりも先端側が右上がりとなる、即ち、反時計方向へ向かう緩やかな円弧状となっている。図２（ｂ）に示すように、フィン３の高さは風受体２の立ち上がり部２ａの高さよりもやや高く、側面視形状は風受体２とは逆向き（上向き）の円弧状となっている。図２（ｃ）に示すように、フィン３の断面は鋭角な三角形状であり、内部は中空となっている。
各フィン３，３の間隔は、風受体２の長さ方向において、一方のフィン３の基端部と、他方の（図２（ａ）においては下側に位置する）フィン３の先端部とによって形成される隙間Ｓが、極力小さくなるような間隔としている。即ち、前記隙間Ｓが大きいと、前記フィン３と接触せずに流通する吹出し風の量が増え、本件拡散用補助具１による拡散作用が低下するため、これを防ぐ目的で前記のような間隔とするものである。
そして、本件拡散用補助具１が対向配置される空気調和機１００（図３，４参照）の吹出口１０３の一般的な大きさや、前記各フィン３，３の間隔等を考慮した結果、前記フィン３は風受体２の長さ方向に沿って５箇所に設けるのが最適である。但し、吹出口１０３の大きさや風向調整板２００の大きさに応じて、フィン３，３の間隔は変更せず、数のみを増減することは可能である。
【００１９】
なお、拡散用補助具１は、厚さ１ｍｍ程度の薄板状の発泡樹脂（例えば、発泡ポリエチレンシート等）からなり、これを例えば真空成形等の手段で成形加工することにより、風受体２と複数のフィン３とが前記のような形状で一体的に形成される。
そして、前記のように構成された拡散用補助具１は、図１に示すように、風向調整板２００の上面に対し、粘着テープや接着剤等を用いて固定される。
【００２０】
つづいて、本考案の実施例１による作用について図３，４を参照しながら説明する。図３は吹出し風の流れを概略的に示す。また、図４は吹出し風の拡散状態を概略的に示す。なお、図３，４において、１００は所謂天井埋込カセット型の空気調和機、１０１は天井と略面一となるように取付けられた矩形状のパネル、１０２は前記パネル１０１の中央部に設けた吸込口グリル、１０３はパネル１０１の各辺に沿って形成された４箇所の細長な冷風等の吹出口、１０４は吹出口１０３を開閉し、かつ、冷風等の吹出し方向を可変するルーバーをそれぞれ示す。
【００２１】
図３，４に示すように、空気調和機１００のパネル１０１に設けた吹出口１０３から、当該吹出口１０３を開閉するルーバー１０４に沿って斜め下向きに吹出す冷風等は、前記吹出口１０３と対向する状態で配置した風向調整板２００上面に取付けられている拡散用補助具１の風受体２及び当該風受体２に設けた複数のフィン３に沿って、吹出口１０３から遠ざかる方向へと向かう渦巻状の旋回流を形成する。従って、吹出口１０３からの吹出し風は、室内全体に拡散されることとなり、室内の温度ムラを解消できるとともに、冷風等が直接利用者に当たるのを防ぐことができる。
この際、風受体２は、幅方向の後端部（空気調和機１００の吸込口グリル１０２側に位置する端部）に立ち上がり部２ａを設けることで、後端部が前端部よりも高くなっており、また、側面視の形状が、後端部（立ち上がり部２ａ）から前端部へ向かうに従って緩やかに弧を描くようにして高さが低くなる滑り台の如き形状となっているので、吹出口１０３からの吹出し風は、吸込口グリル１０２側へ逆流することなく、風受体２の前端側へ向けて良好に流通させることができるとともに、吹出し風が吸込口グリル１０２側へ逆流することによる空気調和機１００の誤作動を防ぐことができる。
また、風受体２に立設したフィン３，３の間隔は、風受体２の長さ方向において、一方のフィン３の基端部と他方のフィン３の先端部とによって形成される隙間Ｓが、極力小さくなるような間隔となっているので、空気調和機１００からの吹出し風は、そのほとんどが平面視形状が円弧状であるフィン３に沿って流通することとなる結果、良好に渦巻状の旋回流を形成することができる。
更に、拡散用補助具１は、薄板状（厚さ約１ｍｍ程度）の発泡樹脂を成形加工することにより形成されているため非常に軽量であり、既存の風向調整板２００に後付しても、必要以上に重量が加わらないので、拡散用補助具１を取付けることによって風向調整板２００が落下するようなことはない。その上、拡散用補助具１を取付けることによって、風向調整板２００には冷風等の吹出し風が直接接触せず、かつ、拡散用補助具１は断熱性を有するので、風向調整板２００に結露が生じるのを良好に防ぐことができる。
【実施例２】
【００２２】
次に、本考案の実施例２について、図５ないし図８を参照しながら説明する。図５は本考案の実施例２に係る吹出し風の拡散用補助具を風向調整板に取付けた状態を示す斜視図である。図６（ａ）は本考案の実施例２に係る拡散用補助具を示す平面図、同図（ｂ）は実施例２に係る拡散用補助具を示す縦断側面図、同図（ｃ）は同図（ａ）のＢ−Ｂ線における実施例２に係る拡散用補助具の断面図である。図７は空気調和機からの吹出し風の流れを概略的に示す説明図である。図８は本考案の実施例２に係る拡散用補助具による空気調和機からの吹出し風の拡散状態を概略的に示す説明図である。
【００２３】
図５に本考案の実施例２に係る吹出し風の拡散用補助具を風向調整板に取付けた状態を示す。また、図６に本考案の実施例２に係る吹出し風の拡散用補助具を示す。
本考案の実施例２に係る拡散用補助具１Ａは、例えば、特許文献１に記載されているような風向調整板、即ち、図５に示すように、一対の取付具２０１Ａ，２０１Ａの下端部に対し、長さ方向における中間位置の２箇所が回動自在に止着される形態の風向調整板２００Ａへ取付けるのに好適である。
なお、実施例２に係る拡散用補助具１Ａの構成は、一部を除いて実施例１に係る拡散用補助具１と同様であるため、ここでは相違点についてのみ説明する。また、実施例１に係る拡散用補助具１と共通する部材については同一の符号を用いて説明する。
【００２４】
図５及び図６（ａ）に示すように、風受体２の長さ方向における所定位置、即ち、風向調整板２００Ａが止着される一対の取付具２０１Ａ，２０１Ａと合致する位置には、当該と取付具２０１Ａ，２０１Ａが挿通されるスリット２ｂが、幅方向における後端部（立ち上がり部２ａ）から前端側へ向けて設けられている。
【００２５】
図５及び図６（ａ）に示すように、風受体２の上面にはフィン３が、前記スリット２ｂの位置と干渉するのを避けるために、実施例１よりもやや広い間隔で、長さ方向に沿って４箇所に立設されている。この際、一方のフィン３の基端部と他方のフィン３の先端部との間の隙間Ｓも実施例１に比べて大きくなるので、前記フィン３と接触せずに流通する空気調和機１００からの吹出し風の量が増えることが考えられる。このため、実施例２に係る拡散用補助具１Ａにおいては、各フィン３，３の間に、これよりも小さな補助フィン３ａを立設し、空気調和機１００からの吹出し風が、フィン３もしくは補助フィン３ａのいずれかと接触しながら流通するようにしている。
前記補助フィン３ａは、図６（ａ）に示すように、平面視形状がフィン３の約半分の大きさであり、風受体２の幅方向における中央部を基端として、先端側が右上がりとなる、即ち、反時計方向へ向かう緩やかな円弧状となっている。また、図６（ｂ）に示すように、高さはフィン３よりも低く（約半分）、側面視は上向きの円弧状となっている。更に、図６（ｃ）に示すように、断面は鋭角な三角形状で、内部はフィン３と同様に中空となっている。
【００２６】
なお、実施例２に係る拡散用補助具１Ａは、実施例１に係る拡散用補助具１と同様に、薄板状（厚さ約１ｍｍ程度）の発泡樹脂からなり、これを成形加工することにより、風受体２と複数のフィン３，３ａとが前記のような形状で一体的に形成される。
そして、実施例２に係る拡散用補助具１Ａは、図５に示すように、風受体２の長さ方向における２箇所に設けたスリット２ｂ，２ｂに一対の取付具２０１Ａ，２０１Ａを挿通し、かつ、中空状の立ち上がり部２ａ内に後端側の立壁部２０２を収納した状態で（図７参照）、風向調整板２００Ａの上面に被着され、粘着テープや接着剤等を用いて固定する。
【００２７】
つづいて、本考案の実施例２による作用について図７，８を参照しながら説明する。図７は吹出し風の流れを概略的に示す。また、図８は吹出し風の拡散状態を概略的に示す。なお、図７，８において、空気調和機１００の構成は、実施例１と同様であるため詳細な説明は省略するとともに、符号については同一の符号を使用して説明する。
【００２８】
図７，８に示すように、空気調和機１００のパネル１０１に設けた吹出口１０３から、当該吹出口１０３を開閉するルーバー１０４に沿って斜め下向きに吹出す冷風等は、前記吹出口１０３と対向する状態で配置した風向調整板２００Ａ上面に取付けられている拡散用補助具１Ａの風受体２及び当該風受体２に設けた複数のフィン３，３ａに沿って、吹出口１０３から遠ざかる方向へと向かう渦巻状の旋回流を形成する。従って、吹出口１０３からの吹出し風は、室内全体に拡散されることとなり、室内の温度ムラを解消できるとともに、冷風等が直接利用者に当たるのを防ぐことができる。
この際、風受体２は、幅方向の後端部（空気調和機１００の吸込口グリル１０２側に位置する端部）に立ち上がり部２ａを設けることで、後端部が前端部よりも高くなっており、また、側面視の形状が、後端部（立ち上がり部２ａ）から前端部へ向かうに従って緩やかに弧を描くようにして高さが低くなる滑り台の如き形状となっているので、吹出口１０３からの吹出し風は、吸込口グリル１０２側へ逆流することなく、風受体２の前端側へ向けて良好に流通させることができるとともに、吹出し風が吸込口グリル１０２側へ逆流することによる空気調和機１００の誤作動を防ぐことができる。
また、風受体２に立設したフィン３，３の間隔は、一対の取付具２０１Ａ，２０１Ａを挿通するスリット２ｂ，２ｂの位置と干渉するのを避けるために、実施例１における間隔よりも広くなっているが、フィン３，３の間には、当該フィン３よりも小さな補助フィン３ａが立設されているので、空気調和機１００の吹出口１０３からの吹出し風は、風受体２の前方へ直進することなく、平面視形状が円弧状であるフィン３及び補助フィン３ａに沿って流通することとなる結果、良好に渦巻状の旋回流を形成することができる。
更に、拡散用補助具１Ａは、薄板状（厚さ約１ｍｍ程度）の発泡樹脂を成形加工することにより形成されているため非常に軽量であり、既存の風向調整板２００Ａに後付しても、必要以上に重量が加わらないので、拡散用補助具１Ａを取付けることによって風向調整板２００Ａが落下するようなことはない。その上、拡散用補助具１Ａを取付けることによって、風向調整板２００Ａには冷風等の吹出し風が直接接触せず、かつ、拡散用補助具１Ａは断熱性を有するので、風向調整板２００Ａに結露が生じるのを良好に防ぐことができる。
【００２９】
なお、本考案の実施例２に係る拡散用補助具１Ａは、実施例１に係る拡散用補助具１に替えて、長さ方向の両端部を一対の支持アーム２０１，２０１に軸架する形態の風向調整板２００に取付けるようにしてもよい（図９参照）。この場合、風受体２にスリット２ｂを設ける必要はない。
また、本考案においては、複数のフィン３及び補助フィン３ａの平面視形状を、反時計方向へ向かう緩やかな円弧状とした場合を一例として説明しているが、時計方向へ向かう緩やかな円弧状としてもよいし（図１０（ａ），（ｂ）参照）、前記複数のフィン３及び補助フィン３ａは、円弧状とする代わりに、所定角度傾斜した直線状としてもよい（図１０（ｃ）〜（ｆ）参照）。この際、複数のフィン３及び補助フィン３ａの側面視形状，断面形状，間隔等は、前記（段落００１８，００２５参照）と同様にすればよい。
更に、本考案においては、吹出し風の拡散用補助具を取付けた風向調整板を、天井埋込カセット型の空気調和機のパネルに設けた４箇所全ての吹出口と対向する状態で配置した場合を一例として説明しているが、１〜３箇所のいずれかの吹出口と対向する状態で配置するようにしてもよい。
また、本考案においては、吹出し風の拡散用補助具を、所謂天井埋込カセット型の空気調和機の近傍に配置される風向調整板に取付けるようにした場合を一例として説明しているが、これに限定されるものではなく、床置き型や壁掛け型等の空気調和機に配置される風向調整板に取付けるようにしてもよい。
更に、本考案においては、吹出し風の拡散用補助具を取付けた風向調整板を、吹出口を４箇所に設けた天井埋込カセット型の空気調和機の近傍に配置する場合を一例として説明しているが、吹出口を１箇所もしくは２箇所に設けた天井埋込カセット型の空気調和機の近傍に配置する場合にも適用可能である。
【符号の説明】
【００３０】
１，１Ａ  吹出し風の拡散用補助具
２  風受体
２ａ  立ち上がり部
２ｂ  スリット
３  フィン
３ａ  補助フィン
１００  空気調和機
１０１  パネル
１０２  吸込口グリル
１０３  吹出口
１０４  ルーバー
２００，２００Ａ  風向調整板
２０１  支持アーム
２０１Ａ  取付具
【図１】
0003205345.tif 000003
【図２】
0003205345.tif 000004
【図３】
0003205345.tif 000005
【図４】
0003205345.tif 000006
【図５】
0003205345.tif 000007
【図６】
0003205345.tif 000008
【図７】
0003205345.tif 000009
【図８】
0003205345.tif 000010
【図９】
0003205345.tif 000011
【図１０】
0003205345.tif 000012